(57)【要約】【課題】運動時や作業時などにタオルを素早く取出せるようにするために、腰部にタオルを見た目良く着脱自在に装着できるようにしたパンツを提供すること。【解決手段】本発明では、パンツ（１）において、タオル（１１）を掛けるための帯状のタオル掛け（１３）を腰部前側と腰部後側との間にパンツ（１）の上端から下げた位置に設けて、パンツ（１）の上端とタオル掛け（１３）の上端との間にタオル掛け（１３）に掛けたタオル（１１）の屈曲部（１２）を収容可能に構成することにした。また、前記タオル掛け（１３）は、前端を前身頃部（３）とウエスト部（６）とに縫合し、後端を後身頃部（５）とウエスト部（６）とに縫合することにした。【選択図】図２
2013237958.tif 000002
【特許請求の範囲】
【請求項１】
タオルを掛けるための帯状のタオル掛けを腰部前側と腰部後側との間にパンツの上端から下げた位置に設けて、パンツの上端とタオル掛けの上端との間にタオル掛けに掛けたタオルの屈曲部を収容可能に構成したことを特徴とするパンツ。
【請求項２】
前記タオル掛けは、前端を前身頃部とウエスト部とに縫合し、後端を後身頃部とウエスト部とに縫合したことを特徴とする請求項１に記載のパンツ。
【発明の詳細な説明】
【技術分野】
【０００１】
本発明は、パンツに関するものであり、特に、腰部にタオルを装着できるようにしたパンツに関するものである。
【背景技術】
【０００２】
運動時や作業時などには、汗や汚れを拭うためのタオルを素早く取出せるようにしておくと便利である。
【０００３】
そのため、タオルをパンツのポケットの中に収容しておくのではなく、２つ折りに折曲させたタオルの一方側をパンツの内側に挿入してパンツのウエスト部でタオルを挟んでおいたり、タオルに取付けた紐をパンツのベルトループに通してタオルをパンツのウエスト部に吊下げておいたりしている（たとえば、特許文献１参照。）。
【先行技術文献】
【特許文献】
【０００４】
【特許文献１】特開２００５−１６０８０９号公報
【発明の概要】
【発明が解決しようとする課題】
【０００５】
ところが、２つ折りに折曲させたタオルをパンツのウエスト部に挟み込んだ場合には、見た目が悪い上に、腰部が窮屈となって運動や作業がしにくくなるおそれがあった。
【０００６】
また、タオルに取付けた紐でパンツに吊下げた場合には、運動時や作業時にタオルがだらしなく振り回ってしまい、見た目が悪い上に、運動や作業がしにくくなるおそれがあった。
【課題を解決するための手段】
【０００７】
そこで、請求項１に係る本発明では、パンツにおいて、タオルを掛けるための帯状のタオル掛けを腰部前側と腰部後側との間にパンツの上端から下げた位置に設けて、パンツの上端とタオル掛けの上端との間にタオル掛けに掛けたタオルの屈曲部を収容可能に構成することにした。
【０００８】
また、請求項２に係る本発明では、前記請求項１に係る本発明において、前記タオル掛けは、前端を前身頃部とウエスト部とに縫合し、後端を後身頃部とウエスト部とに縫合することにした。
【発明の効果】
【０００９】
そして、本発明では、以下に記載する効果を奏する。
【００１０】
すなわち、本発明では、パンツにおいて、タオルを掛けるための帯状のタオル掛けを腰部前側と腰部後側との間にパンツの上端から下げた位置に設けて、パンツの上端とタオル掛けの上端との間にタオル掛けに掛けたタオルの屈曲部を収容可能に構成しているために、パンツのウエスト部外側にタオルを堅実に装着させることができ、外観上もパンツとタオルとの一体感を醸し出すことができる。
【００１１】
特に、タオル掛けの前端を前身頃部とウエスト部とに縫合し、タオル掛けの後端を後身頃部とウエスト部とに縫合した場合には、パンツとタオル掛けとが堅固に縫合されることになり、タオルの重みによってタオル掛けがパンツから離脱してしまうのを防止することができる。
【図面の簡単な説明】
【００１２】
【図１】本発明に係るパンツを示す背面図（ａ）、側面図（ｂ）、正面図（ｃ）。
【図２】同側面拡大図。
【発明を実施するための形態】
【００１３】
以下に、本発明に係るパンツの具体的な構成について図面を参照しながら説明する。
【００１４】
図１及び図２に示すように、パンツ１は、概略、左右の前身頃部2,3と左右の後身頃部4,5とウエスト部６とで構成しており、左右の前身頃部2,3や左右の後身頃部4,5の上部にポケット用の開口部7〜10を形成している。
【００１５】
本発明に係るパンツ１は、特定の形状のものに限定されるものではなく、既存のトレーニングパンツやスラックスなどの各種のものに適用することができる。そして、本発明でいう前身頃部2,3（後身頃部4,5）とは、パンツ1の脚部を前身頃布と後身頃布とで形成した場合には前身頃布（後身頃布）の部分を指し、パンツ１の脚部を１枚布で形成した場合には着衣時に脚の前側(後側）を被覆する部分を指し、ウエスト部６とは、着衣時に腰に巻回されてベルトやゴムなどで腰に締め付けられる部分を指す。
【００１６】
このパンツ１では、運動時や作業時などにスポーツタオルやフェイスタオルなどのタオル11を素早く取出せるようにするために、タオル11を上下に２つ折りに折曲した状態で屈曲部12を着脱自在に掛けられるようにしたタオル掛け13をパンツ１の腰部右側に設けている。なお、タオル掛け13は、パンツ１の腰部右側に設けた場合に限られず、腰部左側や腰部の左右両側に設けてもよい。
【００１７】
タオル掛け13は、着衣時に湾曲状に張出すパンツ１の腰部右側に沿って密着するように伸縮可能な帯状のものを用いている。
【００１８】
そして、タオル掛け13は、パンツ１のウエスト部６の上端よりも下げた位置において、タオル掛け13の前端をパンツ１の前身頃部３とウエスト部６とに縫合するとともに、タオル掛け13の後端をパンツ１の後身頃部５とウエスト部６とに縫合している。
【００１９】
このように、パンツ１のウエスト部６の上端よりも下げた位置に帯状のタオル掛け13をパンツ１の上端縁と平行に取付けることで、タオル掛け13に掛けたタオル11の屈曲部12がパンツ１の上端とタオル掛け13の上端との間に収容され、パンツ１の上端からタオル11の屈曲部12が張出さないようにしている。
【００２０】
また、タオル掛け13の前後端をパンツ１のウエスト部６に縫合したり、タオル掛け13の前端をパンツ１の前身頃部３に縫合するとともにタオル掛け13の後端をパンツ１の後身頃部５に縫合するようにしてもよい。しかし、タオル掛け13にタオル11を掛けた状態で運動や作業を行うと、タオル11の重みがタオル掛け13の前後端の縫合部に集中するために、パンツ１からタオル掛け13が離脱するおそれもある。そのため、タオル掛け13の前端をパンツ１の前身頃部３とウエスト部６とに縫合するとともに、タオル掛け13の後端をパンツ１の後身頃部５とウエスト部６とに縫合して、運動時や作業時にタオル11の重みが前後身頃部3,5やウエスト部６に分散するようにした方が望ましい。
【００２１】
また、上記パンツ１では、タオル掛け13の中央から前端側の長さが中央から後端側の長さよりも短くなるようにしている。これにより、タオル掛け13に掛けたタオル11が若干後側に位置することになり、運動時や作業時にタオル11が邪魔にならず、見た目を良好なものとすることができる。
【００２２】
さらに、上記パンツ１では、タオル掛け13の下方であって、タオル掛け13の前端と後端との間の領域に右前側のポケット用の開口部８を形成している。これにより、タオル掛け13に掛けたタオル11の下端部を右前側のポケットに容易に収容できるようにもしている。
【００２３】
以上に説明したように、上記パンツ１は、タオル11を掛けるための帯状のタオル掛け13を腰部前側と腰部後側との間にパンツ１の上端から下げた位置に設けて、パンツ１の上端とタオル掛け13の上端との間にタオル掛け13に掛けたタオル11の屈曲部12を収容可能に構成している。
【００２４】
そのため、上記構成のパンツ１では、パンツ１のウエスト部６の外側にタオル11を堅実に装着させることができ、外観上もパンツ１とタオル11との一体感を醸し出すことができる。
【００２５】
また、上記パンツ１は、タオル掛け13の前端を前身頃部３とウエスト部６とに縫合し、タオル掛け13の後端を後身頃部５とウエスト部６とに縫合した構成となっている。
【００２６】
そのため、上記パンツ１では、パンツ１とタオル掛け13とが堅固に縫合されることになり、タオル11の重みによってタオル掛け13がパンツ１から離脱してしまうのを防止することができる。
【符号の説明】
【００２７】
１  パンツ
2,3  前身頃部
4,5  後身頃部
６  ウエスト部
7〜10  開口部
11  タオル
12  屈曲部
13  タオル掛け
【図１】
2013237958.tif 000003
【図２】
2013237958.tif 000004